(57)【要約】【課題】下肢における膝から下の部分を効果的にマッサージすることができて、使用場所を気にかけずに、かつ保管に気を使わなくて済む下肢マッサージ機を提供する。【解決手段】下肢マッサージ機１は、左下肢用および右下肢用のブーツ型マッサージ体２Ｌ，２Ｒを備える。各ブーツ型マッサージ体２Ｌ，２Ｒは、使用者の足を載せる靴底部５と、使用者の膝から下の部分を囲むアッパー部６とからなる。アッパー部６に、足の甲に対してマッサージ効果を与えるように動作する足用エアバッグ１３と、かかとに対してマッサージ効果を与えるように動作するかかと用エアバッグ１４と、ふくらはぎに対してマッサージ効果を与えるように動作するふくらはぎ用エアバッグ１５とが設けられている【選択図】図１
0003220766.tif 000002
【実用新案登録請求の範囲】
【請求項１】
左下肢用および右下肢用のブーツ型マッサージ体を備え、
各ブーツ型マッサージ体は、使用者の足を載せる靴底部と、使用者の膝から下の部分を囲むアッパー部とからなり、
前記アッパー部に、足の甲に被さり当該足の甲に対してマッサージ効果を与えるように動作する足用エアバッグと、かかとを両側から挟んで当該かかとに対してマッサージ効果を与えるように動作するかかと用エアバッグと、ふくらはぎを包み込み当該ふくらはぎに対してマッサージ効果を与えるように動作するふくらはぎ用エアバッグとが設けられていることを特徴とする下肢マッサージ機。
【請求項２】
請求項１に記載の下肢マッサージ機において、前記ふくらはぎ用エアバッグは、上下に並んで配置された複数のエアセルからなり、これらの各エアセルがそれぞれ時間をずらして動作する下肢マッサージ機。
【請求項３】
請求項１または請求項２に記載の下肢マッサージ機において、前記靴底部の上面に使用者の足裏を温めるヒーターが設けられた下肢マッサージ機。
【請求項４】
請求項１ないし請求項３のいずれか１項に記載の下肢マッサージ機において、前記左下肢用および右下肢用のブーツ型マッサージ体の上部に、互いを結合する結合手段が設けられた下肢マッサージ機。
【考案の詳細な説明】
【技術分野】
【０００１】
本考案は、下肢における膝から下の部分を効果的にマッサージすることができるブーツ型の下肢マッサージ機に関する。
【背景技術】
【０００２】
長時間の立ち作業や歩行により下肢に大きな負担が係ると、特に足やふくらはぎが疲労することが多い。足やふくらはぎ用のマッサージ機として、エアバッグの膨張と収縮を利用したものがある（例えば特許文献１，２）。
【０００３】
特許文献１の下肢用マッサージ機は、内側にエアバッグが設けられた左右一対の「筒部材」を有し、これら「筒部材」に左右の下肢における膝より下の部分をそれぞれ挿入して使用する。左右の「筒部材」は、共通の「ケース体」に支持されている。
【０００４】
特許文献２のエアーマッサージ装置は、左右対称の一対の「ブーツ」にエアバッグが取り付けられている。「ブーツ」は、立体縫製された柔軟な生地からなり、「脚締部」および「足締部」を締めることで脚や足にフィットさせる。
【先行技術文献】
【特許文献】
【０００５】
【特許文献１】特開２０１６−８９号公報
【特許文献２】特開２０１７−１４０５３３号公報
【考案の概要】
【考案が解決しようとする課題】
【０００６】
特許文献１の下肢用マッサージ機は、左右の「筒部材」が共通の「ケース体」に支持されており、左右の「筒部材」の相対位置が常に同じである。このため、使用者は、左右の「筒部材」にそれぞれ挿入した左右の下肢を常に同じ位置に保たなければならず、窮屈な姿勢を強いられる。
【０００７】
特許文献２のエアーマッサージ装置は、使用者の下肢が挿入される左右の「ブーツ」がそれぞれ独立しているので、使用者は左右の下肢の位置を互いにずらすことができる。このため、左右の下肢の位置を適宜変えながら、楽な姿勢でマッサージを受けることができる。しかし、このエアーマッサージ装置は、「ブーツ」の底面が床面に直接に接するため、椅子に腰かけて使用するにもかかわらず、土足で生活する空間では「ブーツ」の底面の汚れを避けるために使用を控えなくてはならない。また、「ブーツ」は柔軟な生地でできており、下肢から外された状態では自立できない。このため、非使用時には床面に広がった状態となり、保管に気を使う。
【０００８】
この考案の目的は、下肢における膝から下の部分を効果的にマッサージすることができて、使用場所を気にかけずに、かつ保管に気を使わなくて済む下肢マッサージ機を提供することである。
【課題を解決するための手段】
【０００９】
上記の課題を解決するために、本考案は、次のように構成した。すなわち、本考案に係る下肢マッサージ機は、左下肢用および右下肢用のブーツ型マッサージ体を備え、
各ブーツ型マッサージ体は、使用者の足を載せる靴底部と、使用者の膝から下の部分を囲むアッパー部とからなり、
前記アッパー部に、足の甲に被さり当該足の甲に対してマッサージ効果を与えるように動作する足用エアバッグと、かかとを両側から挟んで当該かかとに対してマッサージ効果を与えるように動作するかかと用エアバッグと、ふくらはぎを包み込み当該ふくらはぎに対してマッサージ効果を与えるように動作するふくらはぎ用エアバッグとが設けられていることを特徴としている。
【００１０】
この下肢マッサージ機は、左下肢用および右下肢用のブーツ型マッサージ体に左右の下肢における膝より下の部分をそれぞれ挿入して使用する。このとき、足が靴底部の上に載り、かつ膝より下の部分がアッパー部に囲まれて、ちょうどブーツを履いた状態となる。この状態で足用エアバッグ、かかと用エアバッグ、およびふくらはぎ用エアバッグを動作させることで、足、かかと、およびふくらはぎがそれぞれマッサージされる。
【００１１】
左下肢用および右下肢用のブーツ型マッサージ体がそれぞれ独立しているため、使用者は左右の下肢の位置を互いにずらすことができる。このため、左右の下肢の位置を適宜変えながら、楽な姿勢でマッサージを受けることができる。また、使用時には靴底部の底面が床面に接し、アッパー部は床面に接しないため、土足で生活する空間でも、アッパー部の汚れを気にすることなく使用することができる。さらに、アッパー部が下肢における膝より下の部分を囲む筒状であるため、下肢を抜いた状態でもブーツ型マッサージ体を自立させることができて、保管に気を使わなくて済む。
【００１２】
この考案の下肢マッサージ機において、前記ふくらはぎ用エアバッグは、上下に並んで配置された複数のエアセルからなり、これらの各エアセルがそれぞれ時間をずらして動作するようにしてもよい。
この場合、ふくらはぎ全体を均一にマッサージするのではなく、マッサージする箇所を時間差で上下に移動させることができる。例えば、下のエアセルでマッサージしたのち上のエアセルでマッサージするようにすれば、血行が促進され、ふくらはぎのむくみ解消に効果的である。
【００１３】
また、この考案の下肢マッサージ機において、前記靴底部の上面に使用者の足裏を温めるヒーターが設けられていてもよい。
ヒーターによって使用者の足裏を温めることで、下肢全体が温められ、マッサージ効果が高まる。
【００１４】
さらに、この考案の下肢マッサージ機において、前記左下肢用および右下肢用のブーツ型マッサージ体の上部に、互いを結合する結合手段が設けられていてもよい。
左右のブーツ型マッサージ体の上部同士を互いに結合することで、各ブーツ型マッサージ体の自立性が向上する。
【考案の効果】
【００１５】
この考案の下肢マッサージ機は、左下肢用および右下肢用のブーツ型マッサージ体を備え、各ブーツ型マッサージ体は、使用者の足を載せる靴底部と、使用者の膝から下の部分を囲むアッパー部とからなり、前記アッパー部に、足の甲に被さり当該足の甲に対してマッサージ効果を与えるように動作する足用エアバッグと、かかとを両側から挟んで当該かかとに対してマッサージ効果を与えるように動作するかかと用エアバッグと、ふくらはぎを包み込み当該ふくらはぎに対してマッサージ効果を与えるように動作するふくらはぎ用エアバッグとが設けられているため、足およびふくらはぎを効果的にマッサージすることができて、使用場所を気にかけずに、かつ保管に気を使わなくて済む。
【図面の簡単な説明】
【００１６】
【図１】本考案の一実施形態に係る下肢マッサージ機の斜視図である。
【図２】同下肢マッサージ機を異なる方向から見た斜視図である。
【図３】同下肢マッサージ機の一部を省略した分解斜視図である。
【図４】同下肢マッサージ機の使用時における足と足用エアバッグとの位置関係を示す図である。
【図５】同下肢マッサージ機の使用時におけるかかととかかと用エアバッグとの位置関係、並びにふくらはぎとふくらはぎ用エアバッグとの位置関係を示す図である。
【図６】同下肢マッサージ機のリモコンの正面図である。
【図７】マッサージコースの切り替え順序を示す図である。
【図８】しぼり上げコースの動作を示す説明図である。
【図９】足裏集中コースの動作を示す説明図である。
【図１０】クイックコースの動作を示す説明図である。
【図１１】マッサージ強さの切り替り順序を示す図である。
【図１２】同下肢マッサージ機を下肢に装着する順序を示す説明図である。
【図１３】本考案の異なる実施形態に係る下肢マッサージ機の斜視図である。
【図１４】同下肢マッサージ機の部分拡大図に指圧玉を描き加えた図である。
【考案を実施するための形態】
【００１７】
以下、本考案の実施の形態について図面に基づき説明する。
【００１８】
図１は本考案の下肢マッサージ機の一実施形態を示す斜視図、図２は同下肢マッサージ機を異なる方向から見た斜視図である。この下肢マッサージ機１は、左下肢用および右下肢用の各ブーツ型マッサージ体２Ｌ，２Ｒ、これらマッサージ体２Ｌ，２Ｒ同士を繋ぐエアホース３、有線式のリモコン４等を備える。なお、以下の説明では、使用者から見て正面側を前側としている。
【００１９】
各ブーツ型マッサージ体２Ｌ，２Ｒは、靴底部５とアッパー部６とからなるブーツ状の外観形状をしている。前記エアホース３は、左右のブーツ型マッサージ体２Ｌ，２Ｒの各靴底部５，５間に設けられている。
【００２０】
アッパー部６は、足覆い部分６ａと下腿覆い部分６ｂとが一体に形成されたもので、足覆い部分６ａの下端で靴底部５の上面外縁に接合されている。図示例では、足覆い部分６ａの前端部と靴底部５の前端部との間にすきま７が開けられているが、すきま７が開いていなくてもよい。下腿覆い部分６ｂは、下肢における膝から下の部分を出し入れするために上端が開口し、前部はファスナー８によって開閉可能となっている。ファスナー８を閉じた状態では、下腿覆い部分６ｂが筒状となる。
【００２１】
図１に示すように、前記リモコン４は、左右どちらか一方、例えば右下肢用のブーツ型マッサージ体２Ｒにコード４ａで接続されている。当該ブーツ型マッサージ体２Ｒのアッパー部６には、リモコン４を入れるためのリモコンポケット９が設けられている。図示例では、内側面の上部にリモコンポケット９が設けられている。図２に示すように、当該ブーツ型マッサージ体２Ｒの靴底部５には、電源コードのプラグ差込口１０が設けられている。
【００２２】
また、図１に示すように、左右のブーツ型マッサージ体２Ｌ，２Ｒには、互いの内側面の上部同士を結合する結合手段１１が設けられている。結合手段１１は、例えば凸部材１１ａと凹部材１１ｂを互いに係合させて結合するスナップボタンである。
【００２３】
図１に破線で示すように、靴底部５の上面に、足裏を温めるヒーター１２が設けられている。また、アッパー部６には、足の甲をマッサージする足用エアバッグ１３と、かかとをマッサージするかかと用エアバッグ１４と、ふくらはぎをマッサージするふくらはぎ用エアバッグ１５とが設けられている。
【００２４】
図３はアッパー部６（図１、図２）の外皮を省略した分解斜視図で、各エアバッグ１３，１４，１５がアッパー部６に設けらていない状態を示している。
【００２５】
靴底部５の上面のほぼ中央部は上方に突出する突起部になっており、この突起部にヒーター１２が配置されている。
【００２６】
足用エアバッグ１３は、２枚のエアセル１３ａ，１３ａを上下に重ねて使用している。各エアセル１３ａは、平面形状が後側に開いた略Ｕ字形で、ヒーター１２を囲むようにアッパー部６の足覆い部分６ａ（図１、図２）に設けられる。足覆い部分６ａに設けた状態では、図４に示すように、エアバッグ１３が、ブーツ型マッサージ体２Ｌ，２Ｒに挿入された足３０の甲に接して被さるようになる。
【００２７】
図３に示すように、かかと用エアバッグ１４およびふくらはぎ用エアバッグ１５は一体に形成されている。かかと用エアバッグ１４の内側面には、所定の間隔をあけて並ぶ一対の突起１４ａが設けられている。ふくらはぎ用エアバッグ１５は、上下に並んだ複数（例えば３個）のエアセル１５ａ，１５ｂ，１５ｃからなる。下段のエアセル１５ａの上端が中段のエアセル１５ｂの下端の外側に重なり、かつ中段のエアセル１５ｂの上端が上段のエアセル１５ｃの下端の外側に重なるように、各エアセル１５ａ，１５ｂ，１５ｃが配置されている。
【００２８】
かかと用エアバッグ１４およびふくらはぎ用エアバッグ１５は、図３に示す平板な状態から、左右中央部に対して左右両側部を前方に湾曲させた状態にして、アッパー部６の下腿覆い部分６ｂ（図１、図２）に設けられる。下腿覆い部分６ｂに設けた状態では、図５に示すように、ブーツ型マッサージ体２Ｌ，２Ｒに挿入されたかかと３１をかかと用エアバッグ１４が両側から挟み付けると共に、ふくらはぎ３２をふくらはぎ用エアバッグ１５が包み込む。このとき、かかと用エアバッグ１４の一対の突起１４ａがくるぶし３３の後ろ側に当接する。
【００２９】
各エアバッグ１３，１４，１５は、図示しない機構によってエアを出し入れさせて膨張および収縮することにより、施療箇所にマッサージ効果を与える。エアホース３を介して左右のブーツ型マッサージ体２Ｌ，２Ｒのエアバッグ１３，１４，１５が互いに連通しているため、左右のエアバッグ１３，１４，１５が同期して動作する。
【００３０】
図６はリモコン４の一例を示す図である。このリモコン４と、このリモコン４によって操作される下肢マッサージ機１の動作とを併せて説明する。なお、以下に説明する下肢マッサージ機１の動作は一例であって、これに限定されるものではない。
【００３１】
電源ボタン２０は、電源の入・切の切り替えと、マッサージコースの選択とを行うボタンである。例えば、マッサージコースには、「しぼり上げ」、「足裏集中」、および「クイック」の各コースがある。電源ボタン２０を押すたびに、図７に示すように、各コースが切り替わる。選択されたコースがコース表示ランプ２１（図６）で表示される。
【００３２】
しぼり上げコースは、図８に示すように、各エアバッグ１３，１４，１５を、時間をずらして順に動作させるコースである。具体的には、（Ａ）足用エアバッグ１３、（Ｂ）かかと用エアバッグ１４、（Ｃ）かかと用エアバッグ１４およびふくらはぎ用エアバッグ１５の下段エアセル１５ａ、（Ｄ）ふくらはぎ用エアバッグ１５の下段エアセル１５ａと中段エアセル１５ｂ、（Ｅ）ふくらはぎ用エアバッグ１５の中段エアセル１５ｂと上段エアセル１５ｃの順に加圧動作を行う。このサイクルを一定時間だけ繰り返す。これにより、血行が促進されてむくみ等が解消される。ふくらはぎ用エアバッグ１５の各エアセル１５ａ，１５ｂ，１５ｃのうち、上下に隣り合うもの同士の上端と下端とが互いに重ね合わされているため、ふくらはぎに対して下から上へ円滑に加圧され、血行の促進が効果的に行われる。
【００３３】
足裏集中コースは、図９に示すように、（Ａ）足用エアバッグ１３による加圧動作と、（Ｂ）かかと用エアバッグ１４による加圧動作とを、交互または順番に一定時間だけ行う。これにより、足裏の疲労が重点的に解消される。
【００３４】
クイックコースは、図１０に示すように、（Ａ）ふくらはぎ用エアバッグ１５による加圧動作と、（Ｂ）足用エアバッグ１３およびかかと用エアバッグ１４による加圧動作とを、交互または順番に一定時間だけ行う。このコースは、短時間でマッサージしたいときのコースであり、他のコースよりも全体の動作時間が短く設定されている。
【００３５】
図６において、強さ選択ボタン２２は、マッサージ強さを選択するボタンである。強さ選択ボタン２２を押すたびに、図１１に示すように、マッサージ強さが「弱」、「中」、「強」の順に切り替わる。選択されたマッサージ強さが強度ランプ２３（図６）で表示される。
【００３６】
ヒーターボタン２４は、ヒーター１２をＯＮ・ＯＦＦするボタンである。ヒーターボタン２４を一度押すとヒーター１２がＯＮになり、再度押すとヒーター１２がＯＦＦになる。ヒーター１２がＯＮのとき、あたためランプ２５が点灯する。
【００３７】
停止ボタン２６は、運転を停止させるボタンである。電源ボタン２０を押して「停止」（図７参照）にしても、運転を停止させることができる。
【００３８】
次に、図１２を参照にして、下肢マッサージ機１を下肢に装着する順序について説明する。
まず、（Ａ）左右どちらか一方、例えば左下肢用のブーツ型マッサージ体２Ｌのファスナー８を開き、（Ｂ）ブーツ型マッサージ体２Ｌの中に下肢における膝から下の部分３４を入れる。アッパー部６の下腿覆い部分６ｂにファスナー８が設けられているため、下腿覆い部分６ｂが大きく開き、膝から下の部分３４の出し入れが容易である。（Ｃ）ファスナー８を閉じることで、ブーツ型マッサージ体２Ｌの左下肢への装着が完了する。右下肢用のブーツ型マッサージ体２Ｒについても、同様に右下肢に装着する。その後、（Ｄ）のように椅子に腰かけて、リモコン４の操作により運転を開始する。
【００３９】
このように、この下肢マッサージ機１は、左下肢用および右下肢用のブーツ型マッサージ体２Ｌ，２Ｒに左右の下肢における膝より下の部分３４をそれぞれ挿入して使用する。このとき、足が靴底部５の上に載り、かつ膝より下の部分がアッパー部６に囲まれて、ちょうどブーツを履いた状態となる。この状態で足用エアバッグ１３、かかと用エアバッグ１４、およびふくらはぎ用エアバッグ１５を動作させることで、足、かかと、およびふくらはぎがそれぞれマッサージされる。
【００４０】
この実施形態の場合、ふくらはぎ用エアバッグ１５が上下に並ぶ複数のエアセル１５ａ，１５ｂ，１５ｃで構成されているため、前記しぼり上げコースのように、ふくらはぎのマッサージ箇所を下から上へ移動させることができる。これにより、血行が促進されて、ふくらはぎのむくみ解消に効果的である。また、靴底部５にヒーター２２が設けられているため、足裏を温めながらマッサージを行うことができ、マッサージ効果が高まる。
【００４１】
左下肢用および右下肢用のブーツ型マッサージ体２Ｌ，２Ｒがそれぞれ独立しているため、使用者は左右の下肢の位置を互いにずらすことができる。このため、左右の下肢の位置を適宜変えながら、楽な姿勢でマッサージを受けることができる。また、使用時に靴底部５の底面が床面に接し、アッパー部６は床面に接しないため、土足で生活する空間でも、アッパー部６の汚れを気にすることなく使用することができる。
【００４２】
ファスナー８を閉じることにより、アッパー部６の下腿覆い部分６ｂが筒状となって倒れにくくなる。このため、下肢マッサージ機１を使用しないときでも、各ブーツ型マッサージ体２Ｌ，２Ｒを自立させることができる。結合手段１１によって下肢用および右下肢用のブーツ型マッサージ体２Ｌ，２Ｒの上部同士を互いに結合すると、自立性がさらに向上する。このようにブーツ型マッサージ体２Ｌ，２Ｒを自立させることができるため、非使用時における仮置きが容易になり、保管に気を使わなくて済む。
【００４３】
図１３、図１４はこの考案の異なる実施形態を示す。図１３に示すように、この下肢マッサージ機１は、アッパー部６の内側に指圧玉ポケット２７が設けられている。指圧玉ポケット２７は、図１４に示す指圧玉２８を入れるためのポケットである。例えば指圧玉２８は、２個の玉２８ａを並べてケース２８ｂに保持させてある。図の例では、２つの指圧玉ポケット２７が並んで設けられており、各指圧玉ポケット２７に指圧玉２８を任意に出し入れすることができる。指圧玉ポケット２７を設ける位置は、図１３の例に限らず、他の位置であってもよい。まタ、複数箇所に指圧玉ポケット２７を設けてもよい。
他は、図１の実施形態と同じである。
【００４４】
指圧玉ポケット２７に指圧玉２８を入れた状態で運転すると、各エアバッグ１３，１４，１５によるマッサージ効果に加えて、指圧玉２８による指圧効果が得られる。指圧効果が不要な場合は、指圧玉ポケット２７から指圧玉２８を出しておけばよい。
（注：この指圧玉ポケットを設ける位置について、教えて下さい。）
【産業上の利用可能性】
【００４５】
本考案に係る下肢マッサージ機は、一般家庭の他に、集会所、学校、病院等の多くの人が集まる施設等で使用することができる。
【符号の説明】
【００４６】
１  下肢マッサージ機
２Ｌ，２Ｒ  ブーツ型マッサージ体
５  靴底部
６  アッパー部
１１  結合手段
１２  ヒーター
１３  足用エアバッグ
１４  かかと用エアバッグ
１５  ふくらはぎ用エアバッグ
１５ａ，１５ｂ，１５ｃ  エアセル
３０  足
３１  かかと
３２  ふくらはぎ
３４  膝から下の部分
【図１】
0003220766.tif 000003
【図２】
0003220766.tif 000004
【図３】
0003220766.tif 000005
【図４】
0003220766.tif 000006
【図５】
0003220766.tif 000007
【図６】
0003220766.tif 000008
【図７】
0003220766.tif 000009
【図８】
0003220766.tif 000010
【図９】
0003220766.tif 000011
【図１０】
0003220766.tif 000012
【図１１】
0003220766.tif 000013
【図１２】
0003220766.tif 000014
【図１３】
0003220766.tif 000015
【図１４】
0003220766.tif 000016